(57)【特許請求の範囲】
【請求項１】
車両の最後部のシートはその後部に荷室が隣接して形成されており、該最後部のシートに着座した乗員の頭部を覆うことのできるキャノピー本体が該シートの上部側位置から車両前方に張り出して配設される車両用シートのキャノピー装置であって、
前記最後部のシートに対して配設されるキャノピー本体は該キャノピー本体を前記シートの後部に隣接する荷室内に収納移動させるための収納移動機構により荷室内に収納可能とされており、
前記収納移動機構は、前記キャノピー本体の後部箇所に上端部が剛結合され下端部が前記シートのシートバックの上部箇所に回転可能に軸連結された棒状の支持部材を有し、該支持部材を下端部まわりに前後回転させる動作によって前記キャノピー本体を展開移動させたり収納移動させたりする構成とされ、前記キャノピー本体は、前記支持部材が前記シートバックの傾斜角度に沿った起立角度まで回転することにより前記シートに着座した乗員の頭部を覆った使用状態となることを特徴とする車両用シートのキャノピー装置。
【請求項２】
請求項１に記載の車両用シートのキャノピー装置であって、
前記収納移動機構は、前記キャノピー本体を、前記シートに着座した乗員の頭部を覆う使用状態位置と、前記シートの後部に隣接して形成された荷室内に収納した収納状態位置と、の間で移動させることを特徴とする車両用シートのキャノピー装置。
【請求項３】
請求項１又は請求項２に記載の車両用シートのキャノピー装置であって、
前記キャノピー本体は、該キャノピー本体を内側から外側に透視可能とする透視部を有することを特徴とする車両用シートのキャノピー装置。
【発明の詳細な説明】
【技術分野】
【０００１】
本発明は、車両用シートのキャノピー装置に関する。詳しくは、車両の後部側シートに着座した乗員の頭部を覆うことのできるキャノピー本体がシートの上部側位置から車両前方に張り出されて設けられる車両用シートのキャノピー装置に関する。
【背景技術】
【０００２】
一般に、ベビーカーやチャイルドシートのような乳幼児に乗車使用されるシートには、乗員（乳幼児）の頭部を陽射しや風埃から守るキャノピー装置が設けられている。例えば、下記特許文献１には、チャイルドシートにキャノピー装置が設けられた技術が開示されている。この開示技術では、可撓性のプラスチックフィルムによって形成されたキャノピー本体（フード）を、乗員の頭部に覆い被せるようにしている。ここで、キャノピー本体は、アーチ状に形成された複数の骨格フレームに掛け渡されて形作られており、これをドーム状に展開させた使用状態と、蛇腹状に折り畳んだ収納状態と、に切換えられるようになっている。詳しくは、各骨格フレームは、そのアーチ形状の両端部がシートの両側部にそれぞれ回動可能に取り付けられている。したがって、各骨格フレームをシートの背もたれ部（後頭部）側に向けて押し寄せるように回動させることで、キャノピー本体を蛇腹状に折り畳んだ収納状態とすることができる。また、背もたれ部側に寄せ集められた各骨格フレームを、前頭部側に向けて展開させることにより、キャノピー本体をドーム状に拡開させた使用状態とすることができる。
【０００３】
【特許文献１】特表２００１−５２１４６６号公報
【発明の開示】
【発明が解決しようとする課題】
【０００４】
しかしながら、上記従来の技術では、キャノピー装置を一般体型の乗員を使用対象として車両用シート自体に設けると、キャノピー本体の収納を好適に行えないことがある。すなわち、キャノピー装置を一般体型の乗員に適合させるには、チャイルドシートに設ける場合と比べると、キャノピー本体の形状を大きくとる必要がある。したがって、例えばキャノピー本体を蛇腹状に折り畳めるように構成しても、キャノピー本体が嵩張って良好に収納できないことがある。
【０００５】
本発明は、上記した問題を解決するものとして創案されたものであって、本発明が解決しようとする課題は、一般体型の乗員を使用対象としてキャノピー装置を車両用シート自体に設けても、キャノピー本体の収納を好適に行えるようにすることにある。
【課題を解決するための手段】
【０００６】
上記課題を解決するために、本発明の車両用シートのキャノピー装置は次の手段をとる。
先ず、第１の発明は、車両の最後部のシートはその後部に荷室が隣接して形成されており、最後部のシートに着座した乗員の頭部を覆うことのできるキャノピー本体がシートの上部側位置から車両前方に張り出して配設される車両用シートのキャノピー装置であって、最後部のシートに対して配設されるキャノピー本体はキャノピー本体をシートの後部に隣接する荷室内に収納移動させるための収納移動機構により荷室内に収納可能とされているものである。収納移動機構は、キャノピー本体の後部箇所に上端部が剛結合され、下端部が前記シートのシートバックの上部箇所に回転可能に軸連結された棒状の支持部材を有し、支持部材を下端部まわりに前後回転させる動作によりキャノピー本体を展開移動させたり収納移動させたりする。キャノピー本体は、支持部材がシートバックの傾斜角度に沿った起立角度まで回転することにより、シートに着座した乗員の頭部を覆った使用状態となる。
この第１の発明によれば、収納移動機構は、最後部のシートから車両前方に張り出して配設されるキャノピー本体を、支持部材の下端部まわりの回転により、シート後部の荷室内に収納移動させる。これにより、キャノピー本体を、シートに着座した乗員にとって煩わしくならない位置に退避させる。
【０００７】
次に、第２の発明は、収納移動機構は、キャノピー本体を、シートに着座した乗員の頭部を覆う使用状態位置と、シートの後部に隣接して形成された荷室内に収納した収納状態位置と、の間で移動させるものである。
この第２の発明によれば、収納移動機構は、支持部材の下端部まわりの前後回転により、キャノピー本体を、シートに着座した乗員の頭部を覆う使用状態位置と、シートの後部に隣接して形成された荷室内に収納した収納状態位置と、の間で移動させる。
【０００８】
次に、第３の発明は、上述した第１又は第２の発明において、キャノピー本体は、キャノピー本体を内側から外側に透視可能とする透視部を有するものである。
この第３の発明によれば、透視部は、キャノピー本体を内側から外側に可視化させる。これにより、頭部を覆われた乗員の外部への視界が形成される。
【発明の効果】
【００１０】
本発明は上述した手段をとることにより、次の効果を得ることができる。
先ず、第１の発明によれば、車両用シートに設けたキャノピー本体を、支持部材の下端部まわりの回転移動によって、車両の荷室内に収納移動させることができる。したがって、キャノピー本体を、不使用時に、着座した乗員にとって煩わしくならない位置に好適に収納することができる。
更に、第２の発明によれば、キャノピー本体を、支持部材の下端部まわりの回転によって、使用状態位置と収納状態位置との間で移動させる構成として、上記第１の発明を具現化して構成することができる。
更に、第３の発明によれば、乗員の頭部にキャノピー本体が覆われても、乗員の外部への視界を確保することができる。
【発明を実施するための最良の形態】
【００１１】
以下に、本発明を実施するための最良の形態の実施例について、図面を用いて説明する。
【実施例１】
【００１２】
始めに、実施例１の車両用シート１のキャノピー装置１０について、図１〜図３を用いて説明する。図１はキャノピー装置１０の概略構成を表した斜視図、図２はキャノピー装置１０の使用状態を表した側面図、図３はキャノピー装置１０の収納状態を表した側面図である。なお、図２及び図３では、紙面内左方向が車両前方向として表されている。
【００１３】
本実施例のシート１は、車両の最後部に配されるリヤシートとして適用されている。このシート１は、図１に良く示されるように、背もたれ部となるシートバック２と、着座部となるシートクッション３と、を有する。そして、シートバック２には、シート１に着座した乗員Ｃの頭部Ｃｈに上方から覆うことのできるキャノピー装置１０が取付けられている。また、シート１の後部、すなわちシートバック２の背裏側部には、車両の荷室Ｔが隣接して形成されている。
このキャノピー装置１０は、ドーム形状のキャノピー本体１１を有する。このキャノピー本体１１は、乗員Ｃの頭部Ｃｈを上方から覆うことにより、乗員Ｃに、区画されたプライベート空間を作り出すことができる。また、キャノピー本体１１は、シートバック２に対し、車両の前後方向に移動可能に支持されている。詳しくは、キャノピー本体１１は、図１の実線で表される乗員Ｃの頭部Ｃｈを覆った使用状態位置と、仮想線で表されるシート１後方側に形成された荷室Ｔ内に収納される収納状態位置と、の間で移動可能とされている。なお、上記キャノピー本体１１の使用状態位置は図２で詳しく表されており、収納状態位置は図３で詳しく表されている。
以下、キャノピー装置１０の構成を詳細に説明する。
【００１４】
すなわち、キャノピー装置１０は、図２に良く示されるように、ドーム形状のキャノピー本体１１と、支持部材１２と、収納移動機構１３と、を有する。
先ず、キャノピー本体１１は、その外形形状が合成樹脂により形作られている。また、キャノピー本体１１の前面側部位には、ポリカーボネートより成るスモークシールド１１ａが嵌め込み形成されている。このスモークシールド１１ａは、キャノピー本体１１の内側から外側には透視し易く、外側から内側には透視し難くなるようにスモークがかけられている。これにより、乗員Ｃの頭部Ｃｈにキャノピー本体１１が覆われても、乗員Ｃの前方外部への視界を確保することができる。ここで、スモークシールド１１ａが本発明の透明部に相当する。
次に、支持部材１２は、キャノピー本体１１の後部寄りの位置に剛接合されている。この支持部材１２は、車幅方向の両側位置にそれぞれ設けられており、左右一対でキャノピー本体１１を支持している。また、支持部材１２は、その下端部が、シートバック２の両サイド部において回動可能に軸支されている。したがって、この支持部材１２の軸支された下端部を回動中心Ｒとして、キャノピー本体１１を移動させることができる。
次に、収納移動機構１３は、シートバック２の内部に配置されており、駆動モータＭ、駆動プーリＰ１、従動プーリＰ２及び伝達ベルトＶを有する。先ず、駆動モータＭは、車両の適当な位置に設置された作動スイッチ（図示省略）の切換操作に応じて正転・逆転する。そして、駆動プーリＰ１は、駆動モータＭによって入力された回動力を、伝達ベルトＶを介して従動プーリＰ２に伝達する。この従動プーリＰ２は、支持部材１２に対し、回動力を伝達可能に連結或いは一体に固定されており、入力された回動力によって支持部材１２を回動させる。
【００１５】
続いて、本実施例の使用方法を説明する。
すなわち、図２に良く示されるように、キャノピー本体１１は、乗員Ｃの頭部Ｃｈに覆われた使用状態位置とされている。そこて、この状態から、キャノピー本体１１を収納移動させるべく、作動スイッチ（図示省略）を操作して、収納移動機構１３を作動させる。これにより、キャノピー本体１１は、回動中心Ｒの回りを車両後方に向けて移動し、図３に良く示されるように、シート１の後方側位置に形成された荷室Ｔ内に収納される。
なお、上記収納状態位置に移動されたキャノピー本体１１は、収納移動機構１３を上記と逆方向に作動させることにより、図２に示される使用状態位置に展開移動させることができる。
【００１６】
このように、本実施例の車両用シート１のキャノピー装置１０によれば、シート１の上部側位置から車両前方に張り出されて設けられるキャノピー本体１１を、車両の荷室Ｔ内に収納することができる。すなわち、不使用時におけるキャノピー本体１１を、着座した乗員Ｃにとって煩わしくならない位置に好適に収納することができる。更に、乗員Ｃの頭部Ｃｈにキャノピー本体１１が覆われても、スモークシールド１１ａによって、乗員Ｃの外部への視界を確保することができる。更に、収納移動機構１３をシートバック２に対して設けたことにより、キャノピー本体１１をシートバック２に対して相対的に移動させることができる。したがって、例えば、シート１が車両の前後方向にスライド移動したり、シートバック２がリクライニング回動したりする構成の場合にも、キャノピー本体１１を、乗員Ｃの着座姿勢に合った使用状態位置や収納状態位置に移動させ易くなる。
【００１７】
以上、本発明の実施形態を１つの実施例により説明したが、本発明は上記実施例のほか各種の形態で実施ができるものである。
例えば、収納移動機構によって、キャノピー本体を、車両フロア等のシートとは別体の部材に対して移動可能に支持してもよい。但し、この場合には、シートが車両の前後方向にスライド移動したり、シートバックがリクライニング回動したりすることで、キャノピー本体の乗員に対する相対位置が変化することに留意が必要である。
また、スモークシールドを、キャノピー本体の側面側部位に形成したり全面に形成したりしても良い。但し、この場合には、別途に骨格フレームを設けるなどして、キャノピー本体の剛性を確保しておくことが好ましい。
また、収納移動機構として、車両の前後方向に揺動変位する２本の揺動リンクを用いて、キャノピー本体を車両側の部材に対して車両の前後方向に揺動変位させる４節リンク機構を構成しても良い。これにより、キャノピー本体を、車両側の部材に対して起立姿勢とすることなく倒伏姿勢の状態を維持しながら、車両の荷室内に向けてシート後方に沈み込ませるようにしてコンパクトに収納移動させることができる。
【図面の簡単な説明】
【００１８】
【図１】キャノピー装置の概略構成を表した斜視図である。
【図２】キャノピー装置の使用状態を表した側面図である。
【図３】キャノピー装置の収納状態を表した側面図である。
【符号の説明】
【００１９】
１      シート
２      シートバック
３      シートクッション
１０    キャノピー装置
１１    キャノピー本体
１１ａ  スモークシールド（透視部）
１２    支持部材
１３    収納移動機構
Ｍ    駆動モータ
Ｐ１  駆動プーリ
Ｐ２  従動プーリ
Ｖ    伝達ベルト
Ｔ    荷室
Ｃ    乗員
Ｃｈ  頭部
Ｒ    回動中心
【図１】
0004561581.tif 000002
【図２】
0004561581.tif 000003
【図３】
0004561581.tif 000004